(57)【要約】【課題】特に必要な相手からの通信のみを遅滞なく開始することのできる通信端末、通信開始制御方法およびプログラムを得ること。【解決手段】呼接続要求受信手段１１０１が発信側装置から呼接続の要求を受信すると、その電話番号を取得する。このとき自装置が仮想的に電源をオフとする状態であれば、仮想電源オフ時通信対象登録手段１１０４の登録内容を調べ、その電話番号を登録していると判別したときのみ発信側装置との通信を許可する。仮想電源のオン・オフの切り替えで着信の対象者を絞ることができる。仮想電源のオン・オフの切り替えは場所や時間で行うこともできる。【選択図】図１
2013143689.tif 000002
【特許請求の範囲】
【請求項１】
発信側装置から自装置との通信を開始するための呼接続の要求を受信する呼接続要求受信手段と、
この呼接続要求受信手段が呼接続の要求を受信したとき前記発信側装置の電話番号を取得する電話番号取得手段と、
前記呼接続要求受信手段が呼接続の要求を受信したとき自装置が仮想的に電源をオフとする状態であるか否かを確認する仮想電源オン・オフ判別手段と、
この仮想電源オン・オフ判別手段の判別結果に係わらず呼接続の要求を行った装置との通信を開始させる処理を進行させるべき装置の電話番号を予め登録する仮想電源オフ時通信対象登録手段と、
前記仮想電源オン・オフ判別手段が仮想電源をオフとする状態であると判別したとき前記電話番号取得手段の取得した電話番号を前記仮想電源オフ時通信対象登録手段に登録しているかを判別する仮想電源オフ時登録内容検索手段と、
この仮想電源オフ時登録内容検索手段の検索結果から前記電話番号取得手段の取得した電話番号を登録していると判別したときのみ前記発信側装置との通信を許可する通信許可手段
とを具備することを特徴とする通信端末。
【請求項２】
発信側装置から自装置との通信を開始するための呼接続の要求を受信する呼接続要求受信ステップと、
この呼接続要求受信ステップで呼接続の要求を受信したとき前記発信側装置の電話番号を取得する電話番号取得ステップと、
前記呼接続要求受信ステップで呼接続の要求を受信したとき自装置が仮想的に電源をオフとする状態であるか否かを確認する仮想電源オン・オフ判別ステップと、
この仮想電源オン・オフ判別ステップで仮想電源をオフとする状態であると判別したとき前記電話番号取得ステップで取得した電話番号が前記仮想電源オン・オフ判別ステップでの判別結果に係わらず通信を開始させる処理を進行させるべき装置について予め登録した電話番号に一致するかを判別する仮想電源オフ時登録内容検索ステップと、
この仮想電源オフ時登録内容検索ステップでの検索結果から前記電話番号取得ステップで取得した電話番号が一致していると判別したときのみ前記発信側装置との通信を許可する通信許可ステップ
とを具備することを特徴とする通信開始制御方法。
【請求項３】
発信側装置から自装置との通信を開始するための呼接続の要求を受信する呼接続要求受信ステップと、
この呼接続要求受信ステップで呼接続の要求を受信したとき前記発信側装置の電話番号を取得する電話番号取得ステップと、
前記呼接続要求受信ステップで呼接続の要求を受信したときの自装置の現在位置を判別する現在位置判別ステップと、
この現在位置判別ステップで判別した現在位置が発信側装置との通信開始を自装置が仮想的に電源をオフとする状態において制限する特定エリアとしての予め登録した制限特定エリアに該当するか否かを判別する制限特定エリア該当有無判別ステップと、
この制限特定エリア該当有無判別ステップで制限特定エリアに該当しないと判別したときのみ自装置が仮想的に電源をオフとする状態において前記電話番号取得ステップで取得した電話番号の前記発信側装置との通信を許可する通信許可ステップ
とを具備することを特徴とする通信開始制御方法。
【請求項４】
発信側装置から自装置との通信を開始するための呼接続の要求を受信する呼接続要求受信ステップと、
この呼接続要求受信ステップで呼接続の要求を受信したとき前記発信側装置の電話番号を取得する電話番号取得ステップと、
前記呼接続要求受信ステップで呼接続の要求を受信したときの自装置の現在位置を判別する現在位置判別ステップと、
この現在位置判別ステップで判別した現在位置が発信側装置との通信開始を自装置が仮想的に電源をオフとする状態において制限しない特定エリアとしての予め登録した非制限特定エリアに該当するか否かを判別する非制限特定エリア該当有無判別ステップと、
この非制限特定エリア該当有無判別ステップで非制限特定エリアに該当すると判別したときのみ自装置が仮想的に電源をオフとする状態において前記電話番号取得ステップで取得した電話番号の前記発信側装置との通信を許可する通信許可ステップ
とを具備することを特徴とする通信開始制御方法。
【請求項５】
発信側装置から自装置との通信を開始するための呼接続の要求を受信する呼接続要求受信ステップと、
この呼接続要求受信ステップで呼接続の要求を受信したとき前記発信側装置の電話番号を取得する電話番号取得ステップと、
前記呼接続要求受信ステップで呼接続の要求を受信したときの自装置の現在の日時を判別する日時判別ステップと、
この日時判別ステップで判別した自装置の現在の日時が発信側装置との通信開始を自装置が仮想的に電源をオフとする状態において制限する特定日時としての予め登録した制限特定日時に該当するか否かを判別する制限特定日時該当有無判別ステップと、
この制限特定日時該当有無判別ステップで制限特定日時に該当しないと判別したときのみ自装置が仮想的に電源をオフとする状態において前記電話番号取得ステップで取得した電話番号の前記発信側装置との通信を許可する通信許可ステップ
とを具備することを特徴とする通信開始制御方法。
【請求項６】
発信側装置から自装置との通信を開始するための呼接続の要求を受信する呼接続要求受信ステップと、
この呼接続要求受信ステップで呼接続の要求を受信したとき前記発信側装置の電話番号を取得する電話番号取得ステップと、
前記呼接続要求受信ステップで呼接続の要求を受信したときの自装置の現在の日時を判別する日時判別ステップと、
この日時判別ステップで判別した自装置の現在の日時が発信側装置との通信開始を自装置が仮想的に電源をオフとする状態において制限しない特定日時としての予め登録した非制限特定日時に該当するか否かを判別する非制限特定日時該当有無判別ステップと、
この非制限特定日時該当有無判別ステップで非制限特定日時に該当すると判別したときのみ自装置が仮想的に電源をオフとする状態において前記電話番号取得ステップで取得した電話番号の前記発信側装置との通信を許可する通信許可ステップ
とを具備することを特徴とする通信開始制御方法。
【請求項７】
コンピュータに、
発信側装置から自装置との通信を開始するための呼接続の要求を受信する呼接続要求受信処理と、
この呼接続要求受信処理で呼接続の要求を受信したとき前記発信側装置の電話番号を取得する電話番号取得処理と、
前記呼接続要求受信処理で呼接続の要求を受信したとき自装置が仮想的に電源をオフとする状態であるか否かを確認する仮想電源オン・オフ判別処理と、
この仮想電源オン・オフ判別処理で仮想電源をオフとする状態であると判別したとき前記電話番号取得処理で取得した電話番号が前記仮想電源オン・オフ判別処理での判別結果に係わらず通信を開始させる処理を進行させるべき装置について予め登録した電話番号に一致するかを判別する仮想電源オフ時登録内容検索処理と、
この仮想電源オフ時登録内容検索処理での検索結果から前記電話番号取得処理で取得した電話番号が一致していると判別したときのみ前記発信側装置との通信を許可する通信許可処理
とを実行させることを特徴とする通信開始制御プログラム。
【請求項８】
コンピュータに、
発信側装置から自装置との通信を開始するための呼接続の要求を受信する呼接続要求受信処理と、
この呼接続要求受信処理で呼接続の要求を受信したとき前記発信側装置の電話番号を取得する電話番号取得処理と、
前記呼接続要求受信処理で呼接続の要求を受信したときの自装置の現在位置を判別する現在位置判別処理と、
この現在位置判別処理で判別した現在位置が発信側装置との通信開始を自装置が仮想的に電源をオフとする状態において制限する特定エリアとしての予め登録した制限特定エリアに該当するか否かを判別する制限特定エリア該当有無判別処理と、
この制限特定エリア該当有無判別処理で制限特定エリアに該当しないと判別したときのみ自装置が仮想的に電源をオフとする状態において前記電話番号取得処理で取得した電話番号の前記発信側装置との通信を許可する通信許可処理
とを実行させることを特徴とする通信開始制御プログラム。
【請求項９】
コンピュータに、
発信側装置から自装置との通信を開始するための呼接続の要求を受信する呼接続要求受信処理と、
この呼接続要求受信処理で呼接続の要求を受信したとき前記発信側装置の電話番号を取得する電話番号取得処理と、
前記呼接続要求受信処理で呼接続の要求を受信したときの自装置の現在位置を判別する現在位置判別処理と、
この現在位置判別処理で判別した現在位置が発信側装置との通信開始を自装置が仮想的に電源をオフとする状態において制限しない特定エリアとしての予め登録した非制限特定エリアに該当するか否かを判別する非制限特定エリア該当有無判別処理と、
この非制限特定エリア該当有無判別処理で非制限特定エリアに該当すると判別したときのみ自装置が仮想的に電源をオフとする状態において前記電話番号取得処理で取得した電話番号の前記発信側装置との通信を許可する通信許可処理
とを実行させることを特徴とする通信開始制御プログラム。
【請求項１０】
コンピュータに、
発信側装置から自装置との通信を開始するための呼接続の要求を受信する呼接続要求受信処理と、
この呼接続要求受信処理で呼接続の要求を受信したとき前記発信側装置の電話番号を取得する電話番号取得処理と、
前記呼接続要求受信処理で呼接続の要求を受信したときの自装置の現在の日時を判別する日時判別処理と、
この日時判別処理で判別した自装置の現在の日時が発信側装置との通信開始を自装置が仮想的に電源をオフとする状態において制限する特定日時としての予め登録した制限特定日時に該当するか否かを判別する制限特定日時該当有無判別処理と、
この制限特定日時該当有無判別処理で制限特定日時に該当しないと判別したときのみ自装置が仮想的に電源をオフとする状態において前記電話番号取得処理で取得した電話番号の前記発信側装置との通信を許可する通信許可処理
とを実行させることを特徴とする通信開始制御プログラム。
【発明の詳細な説明】
【技術分野】
【０００１】
本発明は、通信端末、通信開始制御方法および通信開始制御プログラムに関する。本発明は特に通信相手となる相手端末との関係で通信を開始するかの制御を可能にした通信端末、通信開始制御方法および通信開始制御プログラムに関する。
【背景技術】
【０００２】
携帯電話機等の通信端末に対しては、その電話番号をダイヤルすることで誰でも電話を掛けて通話や通信を行うことができるのが原則である。しかしながら、不必要な商品を勧誘する電話や振り込め詐欺のように不要な電話や犯罪を誘発する電話が掛かっている場合も多い。
【０００３】
そこで、本発明の第１の関連技術として、特定の発信者からの着信時のみ呼出動作を行う選択着信機能を備えた通信端末が提案されている（たとえば特許文献１参照）。この第１の関連技術では、電話が掛かってきたときに呼び出しを行ってよい者の名前と電話番号とを対応づけてメモリダイヤルテーブルに選択着信番号として格納しておくようにしている。また、選択着信機能の設定をオン・オフできるようにしている。
【０００４】
この第１の関連技術では、着信があった場合に通信端末は選択着信機能が設定されているかどうかを調べ、設定されていない場合には一律に呼出動作を行うようにしている。また、選択着信機能が設定されている場合にはメモリダイヤルテーブルを調べて、発信者の電話番号が選択着信番号として格納されていれば呼出動作を行うようになっている。
【先行技術文献】
【特許文献】
【０００５】
【特許文献１】特開２０００−２７００９０号公報（第００２４段落、第００３０段落、図２、図３）
【発明の概要】
【発明が解決しようとする課題】
【０００６】
すなわち、この第１の関連技術によれば、通信端末のユーザが選択着信機能を設定しておくと、予めメモリダイヤルテーブルに選択着信番号として登録している電話番号以外の電話番号について呼出動作が行われないことになる。したがって、電話を掛けて欲しくない者以外の者を選択着信番号としてメモリダイヤルテーブルに登録しておけば、選択着信機能を設定しておくだけで、電話を掛けて欲しくない者からの電話に対する通話を拒否することができることになる。本発明の第２の関連技術として、電話が掛かってきたときに発信者番号が登録されているかを受信側の通信端末が調べて、発信者番号が登録されていない通信端末からの呼び出しを拒絶する技術が一般的に用いられており、これも同種の技術である。
【０００７】
ところで本発明の第３の関連技術として、電話を掛ける際に使用するアドレス帳が一般に広く知られており、また活用されている。アドレス帳は通信の便宜のために作成される。したがって、一般にはアドレス帳に登録した者から電話があったとき通話を拒否することは少ない。
【０００８】
ところがユーザが職場で勤務中のような特定の環境下では、第１の関連技術で選択着信番号を登録している者や第３の関連技術でアドレス帳に登録している者であっても、それらの者の全部または一部からプライベートな電話の呼び出しを拒絶したい場合がある。このような場合、電話の取り次ぎを行う者が存在しない個人が直接応答しなければならない通信端末では従来から特別な方策はなく、その通信端末の電源をオフにしておく手法が効果的に採用されていた。
【０００９】
しかしながら、通信端末の電源をオフにしてしまうと、仕事やプライベートで緊急に必要とする電話をとることができないという問題がある。
【００１０】
以上、通話を中心として説明したが、メール等の一般的な通信に関しても同様の問題があった。
【００１１】
そこで本発明の目的は、特に必要な相手からの通信のみを遅滞なく開始することのできる通信端末、通信開始制御方法および通信開始制御プログラムを提供することにある。
【課題を解決するための手段】
【００１２】
本発明では、（イ）発信側装置から自装置との通信を開始するための呼接続の要求を受信する呼接続要求受信手段と、（ロ）この呼接続要求受信手段が呼接続の要求を受信したとき前記した発信側装置の電話番号を取得する電話番号取得手段と、（ハ）前記した呼接続要求受信手段が呼接続の要求を受信したとき自装置が仮想的に電源をオフとする状態であるか否かを確認する仮想電源オン・オフ判別手段と、（ニ）この仮想電源オン・オフ判別手段の判別結果に係わらず呼接続の要求を行った装置との通信を開始させる処理を進行させるべき装置の電話番号を予め登録する仮想電源オフ時通信対象登録手段と、（ホ）前記した仮想電源オン・オフ判別手段が仮想電源をオフとする状態であると判別したとき前記した電話番号取得手段の取得した電話番号を前記した仮想電源オフ時通信対象登録手段に登録しているかを判別する仮想電源オフ時登録内容検索手段と、（へ）この仮想電源オフ時登録内容検索手段の検索結果から前記した電話番号取得手段の取得した電話番号を登録していると判別したときのみ前記した発信側装置との通信を許可する通信許可手段とを通信端末が具備する。
【００１３】
また、本発明では、（イ）発信側装置から自装置との通信を開始するための呼接続の要求を受信する呼接続要求受信ステップと、（ロ）この呼接続要求受信ステップで呼接続の要求を受信したとき前記した発信側装置の電話番号を取得する電話番号取得ステップと、（ハ）前記した呼接続要求受信ステップで呼接続の要求を受信したとき自装置が仮想的に電源をオフとする状態であるか否かを確認する仮想電源オン・オフ判別ステップと、（ニ）この仮想電源オン・オフ判別ステップで仮想電源をオフとする状態であると判別したとき前記した電話番号取得ステップで取得した電話番号が前記した仮想電源オン・オフ判別ステップでの判別結果に係わらず通信を開始させる処理を進行させるべき装置について予め登録した電話番号に一致するかを判別する仮想電源オフ時登録内容検索ステップと、（ホ）この仮想電源オフ時登録内容検索ステップでの検索結果から前記した電話番号取得ステップで取得した電話番号が一致していると判別したときのみ前記した発信側装置との通信を許可する通信許可ステップとを通信開始制御方法が具備する。
【００１４】
更に本発明では、（イ）発信側装置から自装置との通信を開始するための呼接続の要求を受信する呼接続要求受信ステップと、（ロ）この呼接続要求受信ステップで呼接続の要求を受信したとき前記した発信側装置の電話番号を取得する電話番号取得ステップと、（ハ）前記した呼接続要求受信ステップで呼接続の要求を受信したときの自装置の現在位置を判別する現在位置判別ステップと、（ニ）この現在位置判別ステップで判別した現在位置が発信側装置との通信開始を自装置が仮想的に電源をオフとする状態において制限する特定エリアとしての予め登録した制限特定エリアに該当するか否かを判別する制限特定エリア該当有無判別ステップと、（ホ）この制限特定エリア該当有無判別ステップで制限特定エリアに該当しないと判別したときのみ自装置が仮想的に電源をオフとする状態において前記した電話番号取得ステップで取得した電話番号の前記した発信側装置との通信を許可する通信許可ステップとを通信開始制御方法が具備する。
【００１５】
更にまた本発明では、（イ）発信側装置から自装置との通信を開始するための呼接続の要求を受信する呼接続要求受信ステップと、（ロ）この呼接続要求受信ステップで呼接続の要求を受信したとき前記した発信側装置の電話番号を取得する電話番号取得ステップと、（ハ）前記した呼接続要求受信ステップで呼接続の要求を受信したときの自装置の現在位置を判別する現在位置判別ステップと、（ニ）この現在位置判別ステップで判別した現在位置が発信側装置との通信開始を自装置が仮想的に電源をオフとする状態において制限しない特定エリアとしての予め登録した非制限特定エリアに該当するか否かを判別する非制限特定エリア該当有無判別ステップと、（ホ）この非制限特定エリア該当有無判別ステップで非制限特定エリアに該当すると判別したときのみ自装置が仮想的に電源をオフとする状態において前記した電話番号取得ステップで取得した電話番号の前記した発信側装置との通信を許可する通信許可ステップとを通信開始制御方法が具備する。
【００１６】
また、本発明では、（イ）発信側装置から自装置との通信を開始するための呼接続の要求を受信する呼接続要求受信ステップと、（ロ）この呼接続要求受信ステップで呼接続の要求を受信したとき前記した発信側装置の電話番号を取得する電話番号取得ステップと、（ハ）前記した呼接続要求受信ステップで呼接続の要求を受信したときの自装置の現在の日時を判別する日時判別ステップと、（ニ）この日時判別ステップで判別した自装置の現在の日時が発信側装置との通信開始を自装置が仮想的に電源をオフとする状態において制限する特定日時としての予め登録した制限特定日時に該当するか否かを判別する制限特定日時該当有無判別ステップと、（ホ）この制限特定日時該当有無判別ステップで制限特定日時に該当しないと判別したときのみ自装置が仮想的に電源をオフとする状態において前記した電話番号取得ステップで取得した電話番号の前記した発信側装置との通信を許可する通信許可ステップとを通信開始制御方法が具備する。
【００１７】
更に本発明では、（イ）発信側装置から自装置との通信を開始するための呼接続の要求を受信する呼接続要求受信ステップと、（ロ）この呼接続要求受信ステップで呼接続の要求を受信したとき前記した発信側装置の電話番号を取得する電話番号取得ステップと、（ハ）前記した呼接続要求受信ステップで呼接続の要求を受信したときの自装置の現在の日時を判別する日時判別ステップと、（ニ）この日時判別ステップで判別した自装置の現在の日時が発信側装置との通信開始を自装置が仮想的に電源をオフとする状態において制限しない特定日時としての予め登録した非制限特定日時に該当するか否かを判別する非制限特定日時該当有無判別ステップと、（ホ）この非制限特定日時該当有無判別ステップで非制限特定日時に該当すると判別したときのみ自装置が仮想的に電源をオフとする状態において前記した電話番号取得ステップで取得した電話番号の前記した発信側装置との通信を許可する通信許可ステップとを通信開始制御方法が具備する。
【００１８】
更にまた本発明では、コンピュータに、通信開始制御プログラムとして、（イ）発信側装置から自装置との通信を開始するための呼接続の要求を受信する呼接続要求受信処理と、（ロ）この呼接続要求受信処理で呼接続の要求を受信したとき前記した発信側装置の電話番号を取得する電話番号取得処理と、（ハ）前記した呼接続要求受信処理で呼接続の要求を受信したとき自装置が仮想的に電源をオフとする状態であるか否かを確認する仮想電源オン・オフ判別処理と、（ニ）この仮想電源オン・オフ判別処理で仮想電源をオフとする状態であると判別したとき前記した電話番号取得処理で取得した電話番号が前記した仮想電源オン・オフ判別処理での判別結果に係わらず通信を開始させる処理を進行させるべき装置について予め登録した電話番号に一致するかを判別する仮想電源オフ時登録内容検索処理と、（ホ）この仮想電源オフ時登録内容検索処理での検索結果から前記した電話番号取得処理で取得した電話番号が一致していると判別したときのみ前記した発信側装置との通信を許可する通信許可処理とを実行させる。
【００１９】
また本発明では、コンピュータに、通信開始制御プログラムとして、（イ）発信側装置から自装置との通信を開始するための呼接続の要求を受信する呼接続要求受信処理と、（ロ）この呼接続要求受信処理で呼接続の要求を受信したとき前記した発信側装置の電話番号を取得する電話番号取得処理と、（ハ）前記した呼接続要求受信処理で呼接続の要求を受信したときの自装置の現在位置を判別する現在位置判別処理と、（ニ）この現在位置判別処理で判別した現在位置が発信側装置との通信開始を自装置が仮想的に電源をオフとする状態において制限する特定エリアとしての予め登録した制限特定エリアに該当するか否かを判別する制限特定エリア該当有無判別処理と、（ホ）この制限特定エリア該当有無判別処理で制限特定エリアに該当しないと判別したときのみ自装置が仮想的に電源をオフとする状態において前記した電話番号取得処理で取得した電話番号の前記した発信側装置との通信を許可する通信許可処理とを実行させる。
【００２０】
更に本発明では、コンピュータに、通信開始制御プログラムとして、（イ）発信側装置から自装置との通信を開始するための呼接続の要求を受信する呼接続要求受信処理と、（ロ）この呼接続要求受信処理で呼接続の要求を受信したとき前記した発信側装置の電話番号を取得する電話番号取得処理と、（ハ）前記した呼接続要求受信処理で呼接続の要求を受信したときの自装置の現在位置を判別する現在位置判別処理と、（ニ）この現在位置判別処理で判別した現在位置が発信側装置との通信開始を自装置が仮想的に電源をオフとする状態において制限しない特定エリアとしての予め登録した非制限特定エリアに該当するか否かを判別する非制限特定エリア該当有無判別処理と、（ホ）この非制限特定エリア該当有無判別処理で非制限特定エリアに該当すると判別したときのみ自装置が仮想的に電源をオフとする状態において前記した電話番号取得処理で取得した電話番号の前記した発信側装置との通信を許可する通信許可処理とを実行させる。
【００２１】
更にまた、本発明では、コンピュータに、通信開始制御プログラムとして、（イ）発信側装置から自装置との通信を開始するための呼接続の要求を受信する呼接続要求受信処理と、（ロ）この呼接続要求受信処理で呼接続の要求を受信したとき前記した発信側装置の電話番号を取得する電話番号取得処理と、（ハ）前記した呼接続要求受信処理で呼接続の要求を受信したときの自装置の現在の日時を判別する日時判別処理と、（ニ）この日時判別処理で判別した自装置の現在の日時が発信側装置との通信開始を自装置が仮想的に電源をオフとする状態において制限する特定日時としての予め登録した制限特定日時に該当するか否かを判別する制限特定日時該当有無判別処理と、（ホ）この制限特定日時該当有無判別処理で制限特定日時に該当しないと判別したときのみ自装置が仮想的に電源をオフとする状態において前記した電話番号取得処理で取得した電話番号の前記した発信側装置との通信を許可する通信許可処理とを実行させる。
【００２２】
また、本発明では、コンピュータに、通信開始制御プログラムとして、（イ）発信側装置から自装置との通信を開始するための呼接続の要求を受信する呼接続要求受信処理と、（ロ）この呼接続要求受信処理で呼接続の要求を受信したとき前記した発信側装置の電話番号を取得する電話番号取得処理と、（ハ）前記した呼接続要求受信処理で呼接続の要求を受信したときの自装置の現在の日時を判別する日時判別処理と、（ニ）この日時判別処理で判別した自装置の現在の日時が発信側装置との通信開始を自装置が仮想的に電源をオフとする状態において制限しない特定日時としての予め登録した非制限特定日時に該当するか否かを判別する非制限特定日時該当有無判別処理と、（ホ）この非制限特定日時該当有無判別処理で非制限特定日時に該当すると判別したときのみ自装置が仮想的に電源をオフとする状態において前記した電話番号取得処理で取得した電話番号の前記した発信側装置との通信を許可する通信許可処理とを実行させる。
【発明の効果】
【００２３】
以上説明したように本発明によれば、通信端末のユーザはその電源をオフにすることなく、他の通信相手の装置が呼接続の要求を行ったときに仮想電源のオン・オフの状態を判別し、オンであるときのみ通信を許可することにした。したがって、仮想電源がオフの状態であると判別した結果として通信が許可されなかった通信相手の装置の使用者は、時や場所を変えて仮想電源がオンとなっている状態になれば、本発明の通信端末に対して通信を開始させることができる可能性がある。また、本発明の通信端末は電源がオフになっていないので、このような通信相手に対して必要なときは直ちに呼接続の要求を行うことができることになる。
【００２４】
また、自装置の現在位置によって仮想電源をオン・オフする本発明の場合には、予め登録した制限特定エリアに自装置が存在しないときに通信相手の装置の呼接続を許可するので、ユーザが現在位置を意識することなく、あたかも電源をオン・オフするような状況を実現することができる。しかもこの場合にも自装置は電源を投入された状態なので、ユーザは必要な通信相手に直ちに通信を開始させることができる。
【００２５】
更に、現在の日時によって仮想電源をオン・オフする本発明の場合には、予め登録した制限を加える日時でなければ通信相手の装置の呼接続を許可するので、ユーザが現時点の日時を意識することなく、あたかも電源をオン・オフするような状況を実現することができる。しかもこの場合にも自装置は電源を投入された状態なので、ユーザは必要な通信相手に直ちに通信を開始させることができる。
【００２６】
以上のように、本発明はユーザのプライバシ等の個人的な状況を考慮して通話対象を絞ることができる。また本発明は、通信相手に対して通信を積極的に拒否する無礼な印象を与えない点で、スマートな通信端末や通信開始制御方法あるいは通信開始制御プログラムを実現することができる。
【図面の簡単な説明】
【００２７】
【図１】本発明の通信端末のクレーム対応図である。
【図２】本発明の通信開始制御方法のクレーム対応図である。
【図３】本発明の他の通信開始制御方法のクレーム対応図である。
【図４】本発明の更に他の通信開始制御方法のクレーム対応図である。
【図５】本発明の更にまた他の通信開始制御方法のクレーム対応図である。
【図６】本発明の他の通信開始制御方法のクレーム対応図である。
【図７】本発明の通信開始制御プログラムのクレーム対応図である。
【図８】本発明の他の通信開始制御プログラムのクレーム対応図である。
【図９】本発明の更に他の通信開始制御プログラムのクレーム対応図である。
【図１０】本発明の更にまた他の通信開始制御プログラムのクレーム対応図である。
【図１１】本発明の実施の形態による携帯電話機の構成の概要を表わしたブロック図である。
【図１２】本実施の形態で使用するアドレス帳の一例を示した説明図である。
【図１３】本実施の形態で使用する仮想電源オフ時着信許可テーブルの一本実施の形態の着信者側の携帯電話機に電話が掛かっていた場合の処理の様子を表わした流れ図である。
【図１４】本実施の形態の着信者側の携帯電話機に電話が掛かっていた場合の処理の様子を表わした流れ図である。
【図１５】本発明の第１の変形例における着信者側の携帯電話機に電話が掛かってきた場合の処理の様子を表わした流れ図である。
【図１６】本発明の第２の変形例における携帯電話機の構成の概要を表わしたブロック図である。
【図１７】第２の変形例における特定エリア登録部の一例を表わした説明図である。
【図１８】第２の変形例の携帯電話機に電話が掛かってきた場合の処理の様子を表わした流れ図である。
【図１９】本発明の第３の変形例における携帯電話機の構成の概要を表わしたブロック図である。
【図２０】第３の変形例におけるカレンダ登録部の一例を表わした説明図である。
【図２１】第３の変形例の携帯電話機に電話が掛かってきた場合の処理の様子を表わした流れ図である。
【発明を実施するための形態】
【００２８】
図１は、本発明の通信端末のクレーム対応図を示したものである。本発明の通信端末１１００は、呼接続要求受信手段１１０１と、電話番号取得手段１１０２と、仮想電源オン・オフ判別手段１１０３と、仮想電源オフ時通信対象登録手段１１０４と、仮想電源オフ時登録内容検索手段１１０５と、通信許可手段１１０６を備えている。ここで、呼接続要求受信手段１１０１は、発信側装置から自装置との通信を開始するための呼接続の要求を受信する。電話番号取得手段１１０２は、呼接続要求受信手段１１０１が呼接続の要求を受信したとき前記した発信側装置の電話番号を取得する。仮想電源オン・オフ判別手段１１０３は、呼接続要求受信手段１１０１が呼接続の要求を受信したとき自装置が仮想的に電源をオフとする状態であるか否かを確認する。仮想電源オフ時通信対象登録手段１１０４は、仮想電源オン・オフ判別手段１１０３の判別結果に係わらず呼接続の要求を行った装置との通信を開始させる処理を進行させるべき装置の電話番号を予め登録する。仮想電源オフ時登録内容検索手段１１０５は、仮想電源オン・オフ判別手段１１０３が仮想電源をオフとする状態であると判別したとき電話番号取得手段１１０２の取得した電話番号を仮想電源オフ時通信対象登録手段１１０４に登録しているかを判別する。通信許可手段１１０６は、仮想電源オフ時登録内容検索手段１１０５の検索結果から電話番号取得手段１１０２の取得した電話番号を登録していると判別したときのみ前記した発信側装置との通信を許可する。
【００２９】
図２は、本発明の通信開始制御方法のクレーム対応図を示したものである。本発明の通信開始制御方法１２００は、呼接続要求受信ステップ１２０１と、電話番号取得ステップ１２０２と、仮想電源オン・オフ判別ステップ１２０３と、仮想電源オフ時登録内容検索ステップ１２０４と、通信許可ステップ１２０５を備えている。ここで、呼接続要求受信ステップ１２０１では、発信側装置から自装置との通信を開始するための呼接続の要求を受信する。電話番号取得ステップ１２０２では、呼接続要求受信ステップ１２０１で呼接続の要求を受信したとき前記した発信側装置の電話番号を取得する。仮想電源オン・オフ判別ステップ１２０３では、呼接続要求受信ステップ１２０１で呼接続の要求を受信したとき自装置が仮想的に電源をオフとする状態であるか否かを確認する。仮想電源オフ時登録内容検索ステップ１２０４では、仮想電源オン・オフ判別ステップ１２０３で仮想電源をオフとする状態であると判別したとき電話番号取得ステップ１２０２で取得した電話番号が仮想電源オン・オフ判別ステップ１２０３での判別結果に係わらず通信を開始させる処理を進行させるべき装置について予め登録した電話番号に一致するかを判別する。通信許可ステップ１２０５では、仮想電源オフ時登録内容検索ステップ１２０４での検索結果から電話番号取得ステップ１２０２で取得した電話番号が一致していると判別したときのみ前記した発信側装置との通信を許可する。
【００３０】
図３は、本発明の他の通信開始制御方法のクレーム対応図を示したものである。本発明の他の通信開始制御方法１３００は、呼接続要求受信ステップ１３０１と、電話番号取得ステップ１３０２と、現在位置判別ステップ１３０３と、制限特定エリア該当有無判別ステップ１３０４と、通信許可ステップ１３０５を備えている。ここで、呼接続要求受信ステップ１３０１では、発信側装置から自装置との通信を開始するための呼接続の要求を受信する。電話番号取得ステップ１３０２では、呼接続要求受信ステップ１３０１で呼接続の要求を受信したとき前記した発信側装置の電話番号を取得する。現在位置判別ステップ１３０３では、呼接続要求受信ステップ１３０１で呼接続の要求を受信したときの自装置の現在位置を判別する。制限特定エリア該当有無判別ステップ１３０４では、現在位置判別ステップ１３０３で判別した現在位置が発信側装置との通信開始を自装置が仮想的に電源をオフとする状態において制限する特定エリアとしての予め登録した制限特定エリアに該当するか否かを判別する。通信許可ステップ１３０５では、制限特定エリア該当有無判別ステップ１３０４で制限特定エリアに該当しないと判別したときのみ自装置が仮想的に電源をオフとする状態において電話番号取得ステップ１３０２で取得した電話番号の前記した発信側装置との通信を許可する。
【００３１】
図４は、本発明の更に他の通信開始制御方法のクレーム対応図を示したものである。本発明の更に他の通信開始制御方法１４００は、呼接続要求受信ステップ１４０１と、電話番号取得ステップ１４０２と、現在位置判別ステップ１４０３と、非制限特定エリア該当有無判別ステップ１４０４と、通信許可ステップ１４０５を備えている。ここで、呼接続要求受信ステップ１４０１では、発信側装置から自装置との通信を開始するための呼接続の要求を受信する。電話番号取得ステップ１４０２では、呼接続要求受信ステップ１４０１で呼接続の要求を受信したとき前記した発信側装置の電話番号を取得する。現在位置判別ステップ１４０３では、呼接続要求受信ステップ１４０１で呼接続の要求を受信したときの自装置の現在位置を判別する。非制限特定エリア該当有無判別ステップ１４０４では、現在位置判別ステップ１４０３で判別した現在位置が発信側装置との通信開始を自装置が仮想的に電源をオフとする状態において制限しない特定エリアとしての予め登録した非制限特定エリアに該当するか否かを判別する。通信許可ステップ１４０５では、非制限特定エリア該当有無判別ステップ１４０４で非制限特定エリアに該当すると判別したときのみ自装置が仮想的に電源をオフとする状態において電話番号取得ステップ１４０２で取得した電話番号の前記した発信側装置との通信を許可する。
【００３２】
図５は、本発明の更にまた他の通信開始制御方法のクレーム対応図を示したものである。本発明の更にまた他の通信開始制御方法１５００は、呼接続要求受信ステップ１５０１と、電話番号取得ステップ１５０２と、日時判別ステップ１５０３と、制限特定日時該当有無判別ステップ１５０４と、通信許可ステップ１５０５を備えている。ここで、呼接続要求受信ステップ１５０１では、発信側装置から自装置との通信を開始するための呼接続の要求を受信する。電話番号取得ステップ１５０２では、呼接続要求受信ステップ１５０１で呼接続の要求を受信したとき前記した発信側装置の電話番号を取得する。日時判別ステップ１５０３では、呼接続要求受信ステップ１５０１で呼接続の要求を受信したときの自装置の現在の日時を判別する。制限特定日時該当有無判別ステップ１５０４では、日時判別ステップ１５０３で判別した自装置の現在の日時が発信側装置との通信開始を自装置が仮想的に電源をオフとする状態において制限する特定日時としての予め登録した制限特定日時に該当するか否かを判別する。通信許可ステップ１５０５では、制限特定日時該当有無判別ステップ１５０４で制限特定日時に該当しないと判別したときのみ自装置が仮想的に電源をオフとする状態において電話番号取得ステップ１５０２で取得した電話番号の前記した発信側装置との通信を許可する。
【００３３】
図６は、本発明の他の通信開始制御方法のクレーム対応図を示したものである。本発明の他の通信開始制御方法１６００は、呼接続要求受信ステップ１６０１と、電話番号取得ステップ１６０２と、日時判別ステップ１６０３と、非制限特定日時該当有無判別ステップ１６０４と、通信許可ステップ１６０５を備えている。ここで、呼接続要求受信ステップ１６０１では、発信側装置から自装置との通信を開始するための呼接続の要求を受信する。電話番号取得ステップ１６０２では、呼接続要求受信ステップ１６０１で呼接続の要求を受信したとき前記した発信側装置の電話番号を取得する。日時判別ステップ１６０３では、呼接続要求受信ステップ１６０１で呼接続の要求を受信したときの自装置の現在の日時を判別する。非制限特定日時該当有無判別ステップ１６０４では、日時判別ステップ１６０３で判別した自装置の現在の日時が発信側装置との通信開始を自装置が仮想的に電源をオフとする状態において制限しない特定日時としての予め登録した非制限特定日時に該当するか否かを判別する。通信許可ステップ１６０５では、非制限特定日時該当有無判別ステップ１６０４で非制限特定日時に該当すると判別したときのみ自装置が仮想的に電源をオフとする状態において電話番号取得ステップ１６０２で取得した電話番号の前記した発信側装置との通信を許可する。
【００３４】
図７は、本発明の通信開始制御プログラムのクレーム対応図を示したものである。本発明の通信開始制御プログラム１７００は、コンピュータに、呼接続要求受信処理１７０１と、電話番号取得処理１７０２と、仮想電源オン・オフ判別処理１７０３と、仮想電源オフ時登録内容検索処理１７０４と、通信許可処理１７０５とを実行させるようにしている。ここで、呼接続要求受信処理１７０１では、発信側装置から自装置との通信を開始するための呼接続の要求を受信する。電話番号取得処理１７０２では、呼接続要求受信処理１７０１で呼接続の要求を受信したとき前記した発信側装置の電話番号を取得する。仮想電源オン・オフ判別処理１７０３では、呼接続要求受信処理１７０１で呼接続の要求を受信したとき自装置が仮想的に電源をオフとする状態であるか否かを確認する。仮想電源オフ時登録内容検索処理１７０４では、仮想電源オン・オフ判別処理１７０３で仮想電源をオフとする状態であると判別したとき電話番号取得処理１７０２で取得した電話番号が仮想電源オン・オフ判別処理１７０３での判別結果に係わらず通信を開始させる処理を進行させるべき装置について予め登録した電話番号に一致するかを判別する。通信許可処理１７０５では、仮想電源オフ時登録内容検索処理１７０４での検索結果から電話番号取得処理１７０２で取得した電話番号が一致していると判別したときのみ前記した発信側装置との通信を許可する。
【００３５】
図８は、本発明の他の通信開始制御プログラムのクレーム対応図を示したものである。本発明の他の通信開始制御プログラム１８００は、コンピュータに呼接続要求受信処理１８０１と、電話番号取得処理１８０２と、現在位置判別処理１８０３と、制限特定エリア該当有無判別処理１８０４と、通信許可処理１８０５を実行させるようにしている。ここで、呼接続要求受信処理１８０１では、発信側装置から自装置との通信を開始するための呼接続の要求を受信する。電話番号取得処理１８０２では、呼接続要求受信処理１８０１で呼接続の要求を受信したとき前記した発信側装置の電話番号を取得する。現在位置判別処理１８０３では、呼接続要求受信処理１８０１で呼接続の要求を受信したときの自装置の現在位置を判別する。制限特定エリア該当有無判別処理１８０４では、現在位置判別処理１８０３で判別した現在位置が発信側装置との通信開始を自装置が仮想的に電源をオフとする状態において制限する特定エリアとしての予め登録した制限特定エリアに該当するか否かを判別する。通信許可処理１８０５では、制限特定エリア該当有無判別処理１８０４で制限特定エリアに該当しないと判別したときのみ自装置が仮想的に電源をオフとする状態において電話番号取得処理１８０２で取得した電話番号の前記した発信側装置との通信を許可する。
【００３６】
図９は、本発明の更に他の通信開始制御プログラムのクレーム対応図を示したものである。本発明の更に他の通信開始制御プログラム１９００は、コンピュータに、呼接続要求受信処理１９０１と、電話番号取得処理１９０２と、現在位置判別処理１９０３と、非制限特定エリア該当有無判別処理１９０４と、通信許可処理１９０５を実行させるようにしている。ここで、呼接続要求受信処理１９０１では、発信側装置から自装置との通信を開始するための呼接続の要求を受信する。電話番号取得処理１９０２では、呼接続要求受信処理１９０１で呼接続の要求を受信したとき前記した発信側装置の電話番号を取得する。現在位置判別処理１９０３では、呼接続要求受信処理１９０１で呼接続の要求を受信したときの自装置の現在位置を判別する。非制限特定エリア該当有無判別処理１９０４では、現在位置判別処理１９０３で判別した現在位置が発信側装置との通信開始を自装置が仮想的に電源をオフとする状態において制限しない特定エリアとしての予め登録した非制限特定エリアに該当するか否かを判別する。通信許可処理１９０５では、非制限特定エリア該当有無判別処理１９０４で非制限特定エリアに該当すると判別したときのみ自装置が仮想的に電源をオフとする状態において電話番号取得処理１９０２で取得した電話番号の前記した発信側装置との通信を許可する。
【００３７】
図１０は、本発明の更にまた他の通信開始制御プログラムのクレーム対応図を示したものである。本発明の更にまた他の通信開始制御プログラム２０００は、呼接続要求受信処理２００１と、電話番号取得処理２００２と、日時判別処理２００３と、制限特定日時該当有無判別処理２００４と、通信許可処理２００５を実行させるようにしている。ここで、呼接続要求受信処理２００１では、発信側装置から自装置との通信を開始するための呼接続の要求を受信する。電話番号取得処理２００２では、呼接続要求受信処理２００１で呼接続の要求を受信したとき前記した発信側装置の電話番号を取得する。日時判別処理２００３では、呼接続要求受信処理２００１で呼接続の要求を受信したときの自装置の現在の日時を判別する。制限特定日時該当有無判別処理２００４では、日時判別処理２００３で判別した自装置の現在の日時が発信側装置との通信開始を自装置が仮想的に電源をオフとする状態において制限する特定日時としての予め登録した制限特定日時に該当するか否かを判別する。通信許可処理２００５では、制限特定日時該当有無判別処理２００４で制限特定日時に該当しないと判別したときのみ自装置が仮想的に電源をオフとする状態において電話番号取得処理２００２で取得した電話番号の前記した発信側装置との通信を許可する。
【００３８】
＜発明の実施の形態＞
【００３９】
次に本発明の実施の形態を説明する。
【００４０】
図１１は、本発明の実施の形態による携帯電話機の構成の概要を表わしたものである。この携帯電話機１００は、ＣＰＵ（Central Processing Unit）１０１と、ＲＯＭ（Read Only Memory）等のメモリ１０２を備えた制御部１０３を有している。メモリ１０２には制御プログラムが格納されている。ＣＰＵ１０１はこの制御プログラムを実行することで携帯電話機１００の各部を制御するようになっている。
【００４１】
制御部１０３は、データバス等のバス１０４を介して携帯電話機１００の各部と接続している。このうち無線送信部１０５は、図示しない無線基地局に対してデータの送信を行う。無線受信部１０６は、前記した無線基地局から送られてくるデータを受信する。もちろん、無線送信部１０５と無線受信部１０６は、無線基地局以外の相手と近距離無線通信を行うこともできる。近距離通信の例としてはブルーツースや赤外線通信を挙げることができる。
【００４２】
仮想電源スイッチ１０７は、この携帯電話機１００の仮想的な電源スイッチである。この仮想電源スイッチ１０７は、図示しない携帯電話機本体に物理的なスイッチとして配置されるものであってもよいし、画面上に表示されるスイッチであってもよい。アドレス帳１０８は、氏名、電話番号、メールアドレスおよび住所のような連絡用の情報を登録するものである。アドレス帳１０８に登録した相手先については、アドレス帳からその相手先の電話番号を読み出すことで簡単に電話を掛けることができる。また、アドレス帳に登録している相手先から電話があった場合には、呼び出し中に相手先の登録した氏名が携帯電話機１００の表示画面に表示されるようになっている場合が多い。
【００４３】
仮想電源オフ時着信許可テーブル１０９は、仮想電源スイッチ１０７がオフになっている場合に電話が掛かってきたとき、着信に対して応答を許可する相手先を登録したテーブルである。仮想電源スイッチ１０７がオフになっている場合に、この仮想電源オフ時着信許可テーブル１０９に登録されていない電話番号の相手先から電話があった場合、携帯電話機１００はあたかもその電源が切られているかのように着信を拒否するようになっている。
【００４４】
操作部１１０は、携帯電話機１００のユーザが各種の情報を入力するデバイスである。ディスプレイ１１１は、視覚的に各種の情報を出力するデバイスであり、通常は液晶ディスプレイや有機ＥＬ（Organic Electro-Luminescence）ディスプレイによって構成されている。このディスプレイ１１１上にタッチパネルを配置すると、これを操作部１１０として使用することができる。
【００４５】
携帯電話機共通部１１２は、携帯電話機１００の通常備えているその他のデバイス（機能）をまとめて示した部分である。携帯電話機共通部１１２を構成する機能としては、たとえばカメラ機能や、通話のためのマイクロフォンやスピーカ、テレビジョン受信機能、電子決済機能を一例として挙げることができる。
【００４６】
図１２は、本実施の形態で使用するアドレス帳の一例を示したものである。アドレス帳１０８には、電話端末を所持する者の氏名、その電話端末の電話番号およびメールアドレスが携帯電話機１００(図１１)のユーザによって登録されるようになっている。
【００４７】
アドレス帳１０８は、多くの携帯電話機で使用されるものと基本的に同一のものである。電話番号欄には、固定電話と携帯電話のそれぞれの電話番号を記すことができるようになっていてもよい。また、自宅や職場に分けて電話番号を管理するようになっていてもよい。
【００４８】
図１３は、本実施の形態で使用する仮想電源オフ時着信許可テーブルの一例を示したものである。仮想電源オフ時着信許可テーブル１０９には、仮想電源スイッチ１０７がオフになっているときに着信を許可する者の氏名と電話番号を登録するようになっている。この例では登録した者は「着信許可」がオンになることになり、「着信許可」をオフに設定することを前提としていない。仮想電源オフ時着信許可テーブルによっては、「着信許可」をオンとオフに設定できるようになっていてもよい。このような場合には、図１２に示したアドレス帳１０８に仮想電源オフ時の「着信許可」をオン・オフいずれに設定するかを示す欄を追加して仮想電源オフ時着信許可テーブル１０９を不要とすることもできる。
【００４９】
本実施の形態では、ユーザがインターネットのホームページで契約を行った「（株）起床サービス」が起床のための電話を掛けてくる場合の「着信許可」をオンに設定している。この例の「（株）起床サービス」は、携帯電話機１００(図１１)のユーザから電話を掛けることがないので、図１２に示したアドレス帳１０８には必ずしも登録する必要がない。「山川一郎」については、携帯電話機１００(図１１)のユーザから電話を掛けることもあるので、図１２に示したアドレス帳１０８にも登録されている。
【００５０】
本実施の形態で使用するこのような仮想電源オフ時着信許可テーブル１０９は、仮想電源をオフにしていない状態で携帯電話機１００の着信があったとき、仮想電源をオフにしている状態でも着信が必要と判断した通話相手を登録するようにすればよい。もちろん、携帯電話機１００のメニュー画面から仮想電源オフ時着信許可テーブルの登録画面に進んで登録を行うこともできる。
【００５１】
仮想電源オフ時着信許可テーブル１０９に登録した者を削除するのも、電話が掛かってきたときを利用して処理する方法を採用してもよいし、メニュー画面から仮想電源オフ時着信許可テーブルを呼び出して該当する者の登録を削除するようにしてもよい。
【００５２】
図１４は、本実施の形態の着信者側の携帯電話機に電話が掛かっていた場合の処理の様子を表わしたものである。図１１〜図１３と共に説明する。
【００５３】
図示しない発信側の電話機が電話を掛けると、呼接続要求信号が図１１に示す携帯電話機１００に送られてくる。携帯電話機１００の無線受信部１０６は呼接続要求があるかを待機しており（ステップＳ２０１）、呼接続要求があると（Ｙ）、発信側の電話番号をすでに判別済みであるかをチェックする（ステップＳ２０２）。
【００５４】
発呼側の電話番号を判別していなかった場合には（ステップＳ２０２：Ｎ）、送られてきた信号から発信者側の電話番号を判別する（ステップＳ２０３）。そして、このとき携帯電話機１００の仮想電源スイッチ１０７がオンになっているかをチェックする（ステップＳ２０４）。発信者側の電話番号を判別済みであれば（ステップＳ２０２：Ｎ）、直ちにステップＳ２０４の処理に進む。
【００５５】
ステップＳ２０４で仮想電源スイッチ１０７がオフになっている場合には（Ｎ）、携帯電話機１００自体の電源が投入されているものの、ユーザは特定の発信者の電話に対して携帯電話機１００がオフになっているように扱うことにしている。したがって、この場合、制御部１０３はステップＳ２０３で判別した発信者側の電話番号が仮想電源オフ時着信許可テーブル１０９で着信許可をオンとする登録が行われているかをチェックする（ステップＳ２０５）。
【００５６】
仮想電源オフ時着信許可テーブル１０９で着信許可をオンとする登録が行われていない電話番号であった場合（ステップＳ２０５：Ｎ）、制御部１０３は処理をステップＳ２０１に戻す。これにより、着信側の携帯電話機１００が発信者側の呼接続要求に応答しない状態が継続することになり、発信者側は携帯電話機１００のユーザへの通信を断念することになる。
【００５７】
次に、ステップＳ２０４で仮想電源スイッチ１０７がオンになっており着信側の携帯電話機１００の電源が投入されているとの設定になっている場合（Ｙ）と、仮想電源スイッチ１０７がオフになっている場合で（ステップＳ２０４：Ｎ）、かつ発信者の電話番号が仮想電源オフ時着信許可テーブル１０９で着信許可（オン）となっている場合（ステップＳ２０５：Ｙ）を説明する。この場合、制御部１０３はステップＳ２０３で判別した発信者側の電話番号がアドレス帳１０８に登録されているかをチェックする（ステップＳ２０６）。
【００５８】
発信者側の電話番号がアドレス帳１０８に登録されている場合には（ステップＳ２０６：Ｙ）、その発信者の氏名をアドレス帳１０８から読み出してディスプレイ１１１に表示すると共に呼出音を出力する（ステップＳ２０７）。そして、ユーザがこの呼び出しに応答すると（ステップＳ２０８：Ｙ）、発信者との間の通話が行われて（ステップＳ２０９）、着信者側の携帯電話機１００の処理が終了する（エンド）。
【００５９】
一方、ステップＳ２０６で発信者側の電話番号がアドレス帳１０８に登録されていないと判別された場合には（Ｎ）、携帯電話機共通部１１２を使用して呼出音を出力する（ステップＳ２１０）。そして、ユーザがこの呼び出しに応答すると（ステップＳ２１１：Ｙ）、発信者との間の通話が行われて（ステップＳ２０９）、着信者側の携帯電話機１００の処理が終了する（エンド）。
【００６０】
以上説明した本実施の形態の携帯電話機１００によれば、ユーザが仮想電源スイッチ１０７をオフに設定しておけば、携帯電話機１００自体の電源をオフにしなくても、仮想電源オフ時着信許可テーブル１０９で着信許可をオンとする登録を行った者以外の電話に煩わされることがない。したがって、重要な仕事をしている場合のように特別の者以外の者からの電話に応答したくないときに、便利である。しかもこの状態でも携帯電話機１００自体の電源が入っているので、ユーザ側からの発信やインターネットを利用した各種サービスを通常通り受けることができる。
【００６１】
また、仮想電源オフ時着信許可テーブル１０９で着信許可をオンとする登録が行われていない者が仮想電源スイッチ１０７をオフに設定している状態で電話を掛けてきた場合、日本国内の場合、その者に対する課金処理が行われず経済的な負担を掛けることがないという利点もある。
【００６２】
しかも本実施の形態の場合、ユーザが仮想電源スイッチ１０７をオンの状態に戻せば、通常の携帯電話機１００として発信者に対して通常の通話機能を実現することができる。
【００６３】
＜発明の第１の変形例＞
【００６４】
図１５は、本発明の第１の変形例における着信者側の携帯電話機に電話が掛かってきた場合の処理の様子を表わしたものである。図１５で図１４と同一部分には同一のステップ番号を付しており、これらの説明を適宜省略する。また、図１１〜図１３はこの変形例においても適宜使用する。ただし、実施の形態における携帯電話機１００は、第１の変形例で携帯電話機１００Ａとして説明する。
【００６５】
この変形例の携帯電話機１００Ａでは、携帯電話機１００の仮想電源スイッチ１０７がオンになっているとき（ステップＳ２０４：Ｙ）、あるいは仮想電源スイッチ１０７がオフの状態で仮想電源オフ時着信許可テーブル１０９で着信許可をオンとする登録が行われているとき（ステップＳ２０４：Ｎ、ステップＳ２０５：Ｙ）、掛かってきた電話番号について着信拒否の設定が行われているかをチェックする（ステップＳ４０１）。
【００６６】
着信拒否の設定が行われている場合には（ステップＳ４０１：Ｙ）、着信拒否について予め設定した内容で着信に対応する処理が行われる（ステップＳ４０２）。たとえば図示しない着信拒否登録テーブルに登録した電話番号から電話が掛かってくると、ユーザによる通話ができない旨の予め設定したメッセージが流れるか、留守番サービスに電話が転送されるようになっている。このようにして、着信者側の携帯電話機１００の処理が終了する（エンド）。
【００６７】
これに対して、掛かってきた電話番号について着信拒否の設定が行われていない場合には（ステップＳ４０１：Ｎ）、通話を開始するためのステップＳ２０６以降の処理が開始されることになる。
【００６８】
以上説明したように本発明の第１の変形例の携帯電話機１００Ａによれば、一般に行われている着信拒否とは区別される形で発信者に対して対応することができる。すなわち、発信者はユーザが仮想電源スイッチ１０７をオンにしていれば、以後も携帯電話機のユーザと通話を行うことができる機会があるので、一律に着信拒否が行われる場合と異なり、友人等に対して礼を失することがない。
【００６９】
＜発明の第２の変形例＞
【００７０】
図１６は、本発明の第２の変形例における携帯電話機の構成の概要を表わしたものである。図１６で図１１と同一部分には同一の符号を付しており、これらの説明を適宜省略する。
【００７１】
第２の変形例の携帯電話機１００Ｂは、データバス等のバス１０４に新たに現在地判別部５０１および特定エリア登録部５０２を接続している。現在地判別部５０１は、たとえばＧＰＳ（Global Positioning System）を用いて図示しないＧＰＳ衛星から送られてくる電波から携帯電話機１００Ｂの現在位置を判別するようにしている。図示しない基地局と無線送信部１０５および無線受信部１０６との関係から携帯電話機１００Ｂの現在位置を判別するようにしてもよい。特定エリア登録部５０２は、ユーザが着信を特別の者だけに制限する特定エリアの経緯度範囲を登録する部分である。
【００７２】
制御部１０３Ｂを構成するＣＰＵ１０１は、メモリ１０２Ｂに格納された制御プログラムを実行することで第２の変形例における携帯電話機１００Ｂの各種制御を行うようになっている。
【００７３】
図１７は、特定エリア登録部の一例を表わしたものである。特定エリア登録部５０２には、特定エリアとしての円形の領域を、その中心位置の緯度および経度と、中心位置からの半径で特定したデータが登録されるようになっている。特定エリアをこのような円形領域として登録する代わりに、３点以上の座標を登録して、それらの点を多角形の頂点とする図形の範囲を特定エリアとして特定するようにしてもよい。
【００７４】
図１７に示した例では、図１６に示す携帯電話機１００Ｂのユーザが特定エリアとして登録した領域に含まれる東京営業所に勤務している。この勤務領域に携帯電話機１００Ｂが存在する場合には、会社の関係者や親族以外から電話が掛かってくることを排除するとき、図１７に示したような登録を行うことになる。
【００７５】
したがって、第２の変形例の携帯電話機１００Ｂの例では、図１３に示した仮想電源オフ時着信許可テーブル１０９に登録する着信許可オンの電話番号は、会社の関係者や親族の電話番号となり、会社外で付き合う友人等のその他の電話番号は登録されないことになる。図１７に示した例では、特定エリアを１つのエリアとして登録したが、複数のエリアを特定エリアとして登録してもよい。なお、以下の変形例で、「仮想電源オフ時」とは、先の実施の形態での「仮想電源オフ時」と同等の概念を実現する状態を表している。
【００７６】
図１８は、第２の変形例の携帯電話機に電話が掛かってきた場合の処理の様子を表わしたものである。図１８で図１４と同一部分には同一のステップ番号を付しており、これらの説明を適宜省略する。また、図１１〜図１３はこの変形例においても適宜使用する。図１６および図１７と共に説明する。
【００７７】
第２の変形例の携帯電話機１００Ｂに対して図示しない発信側の電話機が電話を掛けると、呼接続要求信号が送られてくる。携帯電話機１００Ｂの無線受信部１０６は呼接続要求があるかを待機しており（ステップＳ２０１）、呼接続要求があると（Ｙ）、発信側の電話番号をすでに判別済みであるかをチェックする（ステップＳ２０２）。
【００７８】
発呼側の電話番号を判別していなかった場合には（ステップＳ２０２：Ｎ）、送られてきた信号から発信者側の電話番号を判別する（ステップＳ２０３）。制御部１０３Ｂは、このときの携帯電話機１００の現在位置を現在地判別部５０１で判別し、これが特定エリア登録部５０２に登録した特定エリア外であれば（ステップＳ６０１：Ｙ）、今回の例ではユーザの勤務領域以外の領域なので、先の実施の形態で仮想電源スイッチ１０７がオンになっているものとして扱う。すなわち、この場合にはステップＳ２０６以降の処理が行われる。
【００７９】
これに対して、現在地判別部５０１の判別結果が特定エリア登録部５０２に登録した特定エリア内であった場合には（ステップＳ６０１：Ｎ）、仮想電源オフ時着信許可テーブル１０９で着信許可をオンとする登録が行われているかをチェックする（ステップＳ２０５）。
【００８０】
仮想電源オフ時着信許可テーブル１０９で着信許可をオンとする登録が行われていない電話番号であった場合（ステップＳ２０５：Ｎ）、制御部１０３は処理をステップＳ２０１に戻す。これにより、着信側の携帯電話機１００が発信者側の呼接続要求に応答しない状態が継続することになり、発信者側は携帯電話機１００のユーザへの通信を断念することになる。
【００８１】
ステップＳ６０１で特定エリア内であると判別され（ステップＳ６０１：Ｎ）、かつ発信者の電話番号が仮想電源オフ時着信許可テーブル１０９で着信許可となっている場合（ステップＳ２０５：Ｙ）には、ユーザが通話できるようにステップＳ２０６以降の処理が行われる。
【００８２】
以上説明したように第２の変形例の携帯電話機１００Ｂによれば、ユーザが着信を制限したい領域に居るか居ないかを現在地判別部５０１を用いて判別することにしたので、先の実施の形態での仮想電源スイッチ１０７のオン・オフの切り替えを自動化することができる。すなわち、ユーザの負担を軽減すると共に、仮想電源スイッチ１０７の切り替え忘れを防止することができる。
【００８３】
＜発明の第３の変形例＞
【００８４】
図１９は、本発明の第３の変形例における携帯電話機の構成の概要を表わしたものである。図１９で図１１と同一部分には同一の符号を付しており、これらの説明を適宜省略する。
【００８５】
第３の変形例の携帯電話機１００Ｃは、データバス等のバス１０４に新たにカレンダ判別部７０１およびカレンダ登録部７０２を接続している。カレンダ判別部７０１は、図１１に示した仮想電源スイッチ１０７の代わりに仮想的に電源をオフにする日時であるかを判別するようになっている。カレンダ登録部７０２は仮想的に電源をオフにする日時を登録するようにしている。
【００８６】
制御部１０３Ｃを構成するＣＰＵ１０１は、メモリ１０２Ｃに格納された制御プログラムを実行することで第３の変形例における携帯電話機１００Ｃの各種制御を行うようになっている。なお、携帯電話機の構成によっては、カレンダ判別部７０１が図１１に示した仮想電源スイッチ１０７の代わりに仮想的に電源をオンにする日時であるかを判別するようになっていてもよい。この場合、カレンダ登録部７０２は仮想的に電源をオンにする日時を登録することになる。
【００８７】
図２０は、カレンダ登録部の一例を表わしたものである。カレンダ登録部７０２には、仮想電源をオフにする時間帯と該当日をユーザが登録できるようになっている。注記も必要により登録可能である。図２０に示した例では、ユーザの勤務時間との関係で仮想電源をオフにすべき時間帯およびそのような時間帯に該当する日が登録されている。該当日は具体的に詳細を登録してもよいが、この例では勤務する会社等の勤務日を示すＵＲＬ（Uniform Resource Locator）を記述するようにしている。会社等の勤務日を示すＵＲＬを参照することで、勤務日が何らかの理由で変更になっても該当日の再入力を行う必要がないという利点がある。
【００８８】
この例ではカレンダ登録部７０２に勤務日のみを登録することにしたが、ユーザは有給休暇をとる月日を勤務日の除外日として登録するようにしてもよい。また、また、該当日や時間帯を勤務地のタイムレコーダのリアルタイムデータと連携してもよい。これにより、ユーザが残業を行っている時間帯についても、実施の形態における仮想電源スイッチ１０７のオン・オフ制御と同様の制御を自動化することができる。
【００８９】
図２１は、第３の変形例の携帯電話機に電話が掛かってきた場合の処理の様子を表わしたものである。図２１で図１４と同一部分には同一のステップ番号を付しており、これらの説明を適宜省略する。また、図１１〜図１３はこの変形例においても適宜使用する。図１９および図２０と共に説明する。
【００９０】
第３の変形例の携帯電話機１００Ｃに対して図示しない発信側の電話機が電話を掛けると、呼接続要求信号が送られてくる。携帯電話機１００Ｃの無線受信部１０６は呼接続要求があるかを待機しており（ステップＳ２０１）、呼接続要求があると（Ｙ）、発信側の電話番号をすでに判別済みであるかをチェックする（ステップＳ２０２）。
【００９１】
発呼側の電話番号を判別していなかった場合には（ステップＳ２０２：Ｎ）、送られてきた信号から発信者側の電話番号を判別する（ステップＳ２０３）。制御部１０３Ｃは、このときの携帯電話機１００の現在の日時をカレンダ判別部７０１で判別し、これがカレンダ登録部７０２に登録した時間帯および該当日以外であれば（ステップＳ８０１：Ｙ）、今回の例ではユーザが職務に縛られる時間ではないので、先の実施の形態で仮想電源スイッチ１０７がオンになっているものとして扱う。すなわち、この場合にはステップＳ２０６以降の処理が行われる。
【００９２】
これに対して、カレンダ判別部７０１の判別結果がカレンダ登録部７０２に登録した時間帯および該当日であった場合には（ステップＳ８０１：Ｎ）、仮想電源オフ時着信許可テーブル１０９で着信許可をオンとする登録が行われているかをチェックする（ステップＳ２０５）。
【００９３】
仮想電源オフ時着信許可テーブル１０９で着信許可をオンとする登録が行われていない電話番号であった場合（ステップＳ２０５：Ｎ）、制御部１０３は処理をステップＳ２０１に戻す。これにより、着信側の携帯電話機１００が発信者側の呼接続要求に応答しない状態が継続することになり、発信者側は携帯電話機１００のユーザへの通信を断念することになる。
【００９４】
ステップＳ８０１でカレンダ登録部７０２に登録した時間帯および該当日であると判別され（ステップＳ８０１：Ｎ）、かつ発信者の電話番号が仮想電源オフ時着信許可テーブル１０９で着信許可となっている場合（ステップＳ２０５：Ｙ）には、ユーザが通話できるようにステップＳ２０６以降の処理が行われる。
【００９５】
以上説明したように第３の変形例の携帯電話機１００Ｃによれば、ユーザが着信を制限したい日時であるかをカレンダ判別部７０１を用いて判別することにしたので、先の実施の形態での仮想電源スイッチ１０７のオン・オフの切り替えを自動化することができる。すなわち、ユーザの負担を軽減すると共に、仮想電源スイッチ１０７の切り替え忘れを防止することができる。
【００９６】
以上説明した第２の変形例と第３の変形例を組み合わせた携帯電話機も本発明の携帯電話機として実現が可能であることは当然である。
【００９７】
また、実施の形態および各種の変形例では本発明を携帯電話機に適用した場合を説明したが、携帯電話機以外の各種の通信手段に本発明を適用することができることもいうまでもない。
【００９８】
以上説明した実施の形態の一部または全部は、以下の付記のようにも記載されるが、以下の記載に限定されるものではない。
【００９９】
（付記１）
発信側装置から自装置との通信を開始するための呼接続の要求を受信する呼接続要求受信手段と、
この呼接続要求受信手段が呼接続の要求を受信したとき前記発信側装置の電話番号を取得する電話番号取得手段と、
前記呼接続要求受信手段が呼接続の要求を受信したとき自装置が仮想的に電源をオフとする状態であるか否かを確認する仮想電源オン・オフ判別手段と、
この仮想電源オン・オフ判別手段の判別結果に係わらず呼接続の要求を行った装置との通信を開始させる処理を進行させるべき装置の電話番号を予め登録する仮想電源オフ時通信対象登録手段と、
前記仮想電源オン・オフ判別手段が仮想電源をオフとする状態であると判別したとき前記電話番号取得手段の取得した電話番号を前記仮想電源オフ時通信対象登録手段に登録しているかを判別する仮想電源オフ時登録内容検索手段と、
この仮想電源オフ時登録内容検索手段の検索結果から前記電話番号取得手段の取得した電話番号を登録していると判別したときのみ前記発信側装置との通信を許可する通信許可手段
とを具備することを特徴とする通信端末。
【０１００】
（付記２）
着信の拒否を行う発信側装置の電話番号を登録する着信拒否電話番号登録手段を具備することを特徴とする付記１記載の通信端末。
【０１０１】
（付記３）
現在位置を判別する現在位置判別手段と、
前記呼接続の要求に対する応答を前記自装置が仮想的に電源をオフとする状態において制限する特定エリアを予め登録する制限特定エリア登録手段
とを更に備え、前記仮想電源オン・オフ判別手段は、前記呼接続要求受信手段が呼接続の要求を受信したとき前記現在位置判別手段が判別した現在位置が前記制限特定エリア登録手段に登録した特定エリアと一致するとき自装置が仮想的に電源をオフとする状態であると判別することを特徴とする付記１記載の通信端末。
【０１０２】
（付記４）
現在位置を判別する現在位置判別手段と、
前記呼接続の要求に対する応答を前記自装置が仮想的に電源をオフとする状態において制限しない特定エリアを予め登録する非制限特定エリア登録手段
とを更に備え、前記仮想電源オン・オフ判別手段は、前記呼接続要求受信手段が呼接続の要求を受信したとき前記現在位置判別手段が判別した現在位置が前記非制限特定エリア登録手段に登録した特定エリアと一致しないとき自装置が仮想的に電源をオフとする状態であると判別することを特徴とする付記１記載の通信端末。
【０１０３】
（付記５）
現在の日時を判別する日時判別手段と、
前記呼接続の要求に対する応答を前記自装置が仮想的に電源をオフとする状態において制限する日時を予め登録する制限日時登録手段
とを更に備え、前記仮想電源オン・オフ判別手段は、前記呼接続要求受信手段が呼接続の要求を受信したとき前記日時判別手段が判別した現在の日時が前記制限日時登録手段に登録した特定エリアと一致するとき自装置が仮想的に電源をオフとする状態であると判別することを特徴とする付記１記載の通信端末。
【０１０４】
（付記６）
現在の日時を判別する日時判別手段と、
前記呼接続の要求に対する応答を前記自装置が仮想的に電源をオフとする状態において制限を行わない日時を予め登録する非制限日時登録手段
とを更に備え、前記仮想電源オン・オフ判別手段は、前記呼接続要求受信手段が呼接続の要求を受信したとき前記日時判別手段が判別した現在の日時が前記非制限日時登録手段に登録した特定エリアと一致しないとき自装置が仮想的に電源をオフとする状態であると判別することを特徴とする付記１記載の通信端末。
【０１０５】
（付記７）
発信側装置から自装置との通信を開始するための呼接続の要求を受信する呼接続要求受信ステップと、
この呼接続要求受信ステップで呼接続の要求を受信したとき前記発信側装置の電話番号を取得する電話番号取得ステップと、
前記呼接続要求受信ステップで呼接続の要求を受信したとき自装置が仮想的に電源をオフとする状態であるか否かを確認する仮想電源オン・オフ判別ステップと、
この仮想電源オン・オフ判別ステップで仮想電源をオフとする状態であると判別したとき前記電話番号取得ステップで取得した電話番号が前記仮想電源オン・オフ判別ステップでの判別結果に係わらず通信を開始させる処理を進行させるべき装置について予め登録した電話番号に一致するかを判別する仮想電源オフ時登録内容検索ステップと、
この仮想電源オフ時登録内容検索ステップでの検索結果から前記電話番号取得ステップで取得した電話番号が一致していると判別したときのみ前記発信側装置との通信を許可する通信許可ステップ
とを具備することを特徴とする通信開始制御方法。
【０１０６】
（付記８）
発信側装置から自装置との通信を開始するための呼接続の要求を受信する呼接続要求受信ステップと、
この呼接続要求受信ステップで呼接続の要求を受信したとき前記発信側装置の電話番号を取得する電話番号取得ステップと、
前記呼接続要求受信ステップで呼接続の要求を受信したときの自装置の現在位置を判別する現在位置判別ステップと、
この現在位置判別ステップで判別した現在位置が発信側装置との通信開始を自装置が仮想的に電源をオフとする状態において制限する特定エリアとしての予め登録した制限特定エリアに該当するか否かを判別する制限特定エリア該当有無判別ステップと、
この制限特定エリア該当有無判別ステップで制限特定エリアに該当しないと判別したときのみ自装置が仮想的に電源をオフとする状態において前記電話番号取得ステップで取得した電話番号の前記発信側装置との通信を許可する通信許可ステップ
とを具備することを特徴とする通信開始制御方法。
【０１０７】
（付記９）
発信側装置から自装置との通信を開始するための呼接続の要求を受信する呼接続要求受信ステップと、
この呼接続要求受信ステップで呼接続の要求を受信したとき前記発信側装置の電話番号を取得する電話番号取得ステップと、
前記呼接続要求受信ステップで呼接続の要求を受信したときの自装置の現在位置を判別する現在位置判別ステップと、
この現在位置判別ステップで判別した現在位置が発信側装置との通信開始を自装置が仮想的に電源をオフとする状態において制限しない特定エリアとしての予め登録した非制限特定エリアに該当するか否かを判別する非制限特定エリア該当有無判別ステップと、
この非制限特定エリア該当有無判別ステップで非制限特定エリアに該当すると判別したときのみ自装置が仮想的に電源をオフとする状態において前記電話番号取得ステップで取得した電話番号の前記発信側装置との通信を許可する通信許可ステップ
とを具備することを特徴とする通信開始制御方法。
【０１０８】
（付記１０）
発信側装置から自装置との通信を開始するための呼接続の要求を受信する呼接続要求受信ステップと、
この呼接続要求受信ステップで呼接続の要求を受信したとき前記発信側装置の電話番号を取得する電話番号取得ステップと、
前記呼接続要求受信ステップで呼接続の要求を受信したときの自装置の現在の日時を判別する日時判別ステップと、
この日時判別ステップで判別した自装置の現在の日時が発信側装置との通信開始を自装置が仮想的に電源をオフとする状態において制限する特定日時としての予め登録した制限特定日時に該当するか否かを判別する制限特定日時該当有無判別ステップと、
この制限特定日時該当有無判別ステップで制限特定日時に該当しないと判別したときのみ自装置が仮想的に電源をオフとする状態において前記電話番号取得ステップで取得した電話番号の前記発信側装置との通信を許可する通信許可ステップ
とを具備することを特徴とする通信開始制御方法。
【０１０９】
（付記１１）
発信側装置から自装置との通信を開始するための呼接続の要求を受信する呼接続要求受信ステップと、
この呼接続要求受信ステップで呼接続の要求を受信したとき前記発信側装置の電話番号を取得する電話番号取得ステップと、
前記呼接続要求受信ステップで呼接続の要求を受信したときの自装置の現在の日時を判別する日時判別ステップと、
この日時判別ステップで判別した自装置の現在の日時が発信側装置との通信開始を自装置が仮想的に電源をオフとする状態において制限しない特定日時としての予め登録した非制限特定日時に該当するか否かを判別する非制限特定日時該当有無判別ステップと、
この非制限特定日時該当有無判別ステップで非制限特定日時に該当すると判別したときのみ自装置が仮想的に電源をオフとする状態において前記電話番号取得ステップで取得した電話番号の前記発信側装置との通信を許可する通信許可ステップ
とを具備することを特徴とする通信開始制御方法。
【０１１０】
（付記１２）
コンピュータに、
発信側装置から自装置との通信を開始するための呼接続の要求を受信する呼接続要求受信処理と、
この呼接続要求受信処理で呼接続の要求を受信したとき前記発信側装置の電話番号を取得する電話番号取得処理と、
前記呼接続要求受信処理で呼接続の要求を受信したとき自装置が仮想的に電源をオフとする状態であるか否かを確認する仮想電源オン・オフ判別処理と、
この仮想電源オン・オフ判別処理で仮想電源をオフとする状態であると判別したとき前記電話番号取得処理で取得した電話番号が前記仮想電源オン・オフ判別処理での判別結果に係わらず通信を開始させる処理を進行させるべき装置について予め登録した電話番号に一致するかを判別する仮想電源オフ時登録内容検索処理と、
この仮想電源オフ時登録内容検索処理での検索結果から前記電話番号取得処理で取得した電話番号が一致していると判別したときのみ前記発信側装置との通信を許可する通信許可処理
とを実行させることを特徴とする通信開始制御プログラム。
【０１１１】
（付記１３）
コンピュータに、
発信側装置から自装置との通信を開始するための呼接続の要求を受信する呼接続要求受信処理と、
この呼接続要求受信処理で呼接続の要求を受信したとき前記発信側装置の電話番号を取得する電話番号取得処理と、
前記呼接続要求受信処理で呼接続の要求を受信したときの自装置の現在位置を判別する現在位置判別処理と、
この現在位置判別処理で判別した現在位置が発信側装置との通信開始を自装置が仮想的に電源をオフとする状態において制限する特定エリアとしての予め登録した制限特定エリアに該当するか否かを判別する制限特定エリア該当有無判別処理と、
この制限特定エリア該当有無判別処理で制限特定エリアに該当しないと判別したときのみ自装置が仮想的に電源をオフとする状態において前記電話番号取得処理で取得した電話番号の前記発信側装置との通信を許可する通信許可処理
とを実行させることを特徴とする通信開始制御プログラム。
【０１１２】
（付記１４）
コンピュータに、
発信側装置から自装置との通信を開始するための呼接続の要求を受信する呼接続要求受信処理と、
この呼接続要求受信処理で呼接続の要求を受信したとき前記発信側装置の電話番号を取得する電話番号取得処理と、
前記呼接続要求受信処理で呼接続の要求を受信したときの自装置の現在位置を判別する現在位置判別処理と、
この現在位置判別処理で判別した現在位置が発信側装置との通信開始を自装置が仮想的に電源をオフとする状態において制限しない特定エリアとしての予め登録した非制限特定エリアに該当するか否かを判別する非制限特定エリア該当有無判別処理と、
この非制限特定エリア該当有無判別処理で非制限特定エリアに該当すると判別したときのみ自装置が仮想的に電源をオフとする状態において前記電話番号取得処理で取得した電話番号の前記発信側装置との通信を許可する通信許可処理
とを実行させることを特徴とする通信開始制御プログラム。
【０１１３】
（付記１５）
コンピュータに、
発信側装置から自装置との通信を開始するための呼接続の要求を受信する呼接続要求受信処理と、
この呼接続要求受信処理で呼接続の要求を受信したとき前記発信側装置の電話番号を取得する電話番号取得処理と、
前記呼接続要求受信処理で呼接続の要求を受信したときの自装置の現在の日時を判別する日時判別処理と、
この日時判別処理で判別した自装置の現在の日時が発信側装置との通信開始を自装置が仮想的に電源をオフとする状態において制限する特定日時としての予め登録した制限特定日時に該当するか否かを判別する制限特定日時該当有無判別処理と、
この制限特定日時該当有無判別処理で制限特定日時に該当しないと判別したときのみ自装置が仮想的に電源をオフとする状態において前記電話番号取得処理で取得した電話番号の前記発信側装置との通信を許可する通信許可処理
とを実行させることを特徴とする通信開始制御プログラム。
【０１１４】
（付記１６）
コンピュータに、
発信側装置から自装置との通信を開始するための呼接続の要求を受信する呼接続要求受信処理と、
この呼接続要求受信処理で呼接続の要求を受信したとき前記発信側装置の電話番号を取得する電話番号取得処理と、
前記呼接続要求受信処理で呼接続の要求を受信したときの自装置の現在の日時を判別する日時判別処理と、
この日時判別処理で判別した自装置の現在の日時が発信側装置との通信開始を自装置が仮想的に電源をオフとする状態において制限しない特定日時としての予め登録した非制限特定日時に該当するか否かを判別する非制限特定日時該当有無判別処理と、
この非制限特定日時該当有無判別処理で非制限特定日時に該当すると判別したときのみ自装置が仮想的に電源をオフとする状態において前記電話番号取得処理で取得した電話番号の前記発信側装置との通信を許可する通信許可処理
とを実行させることを特徴とする通信開始制御プログラム。
【符号の説明】
【０１１５】
１００、１００Ａ、１００Ｂ、１００Ｃ  携帯電話機
１０１  ＣＰＵ
１０２、１０２Ｂ、１０２Ｃ  メモリ
１０２、１０３Ｂ、１０３Ｃ  制御部
１０６  無線受信部
１０７  仮想電源スイッチ
１０８  アドレス帳
１０９  仮想電源オフ時着信許可テーブル
１１０  操作部
１１１  ディスプレイ
５０１  現在地判別部
５０２  特定エリア登録部
７０１  カレンダ判別部
７０２  カレンダ登録部
１１００  通信端末
１１０１  呼接続要求受信手段
１１０２  電話番号取得手段
１１０３  仮想電源オン・オフ判別手段
１１０４  仮想電源オフ時通信対象登録手段
１１０５  仮想電源オフ時登録内容検索手段
１１０６  通信許可手段
１２００、１３００、１４００、１５００、１６００  通信開始制御方法
１２０１、１３０１、１４０１、１５０１、１６０１  呼接続要求受信ステップ
１２０２、１３０２、１４０２、１５０２、１６０２  電話番号取得ステップ
１２０３  仮想電源オン・オフ判別ステップ
１２０４  仮想電源オフ時登録内容検索ステップ
１２０５、１３０５、１４０５、１５０５、１６０５  通信許可ステップ
１３０３、１４０３  現在位置判別ステップ
１３０４  制限特定エリア該当有無判別ステップ
１４０４  非制限特定エリア該当有無判別ステップ
１５０３、１６０３  日時判別ステップ
１５０４  制限特定日時該当有無判別ステップ
１６０４  非制限特定日時該当有無判別ステップ
１７００、１８００、１９００、２０００  通信開始制御プログラム
１７０１、１８０１、１９０１、２００１  呼接続要求受信処理
１７０２、１８０２、１９０２、２００２  電話番号取得処理
１７０３  仮想電源オン・オフ判別処理
１７０４  仮想電源オフ時登録内容検索処理
１７０５、１８０５、１９０５、２００５  通信許可処理
１８０３、１９０３  現在位置判別処理
１８０４  制限特定エリア該当有無判別処理
１９０４  非制限特定エリア該当有無判別処理
２００３  日時判別処理
２００４  制限特定日時該当有無判別処理
【図１】
2013143689.tif 000003
【図２】
2013143689.tif 000004
【図３】
2013143689.tif 000005
【図４】
2013143689.tif 000006
【図５】
2013143689.tif 000007
【図６】
2013143689.tif 000008
【図７】
2013143689.tif 000009
【図８】
2013143689.tif 000010
【図９】
2013143689.tif 000011
【図１０】
2013143689.tif 000012
【図１１】
2013143689.tif 000013
【図１２】
2013143689.tif 000014
【図１３】
2013143689.tif 000015
【図１４】
2013143689.tif 000016
【図１５】
2013143689.tif 000017
【図１６】
2013143689.tif 000018
【図１７】
2013143689.tif 000019
【図１８】
2013143689.tif 000020
【図１９】
2013143689.tif 000021
【図２０】
2013143689.tif 000022
【図２１】
2013143689.tif 000023